【手続補正書】
【提出日】平成27年5月25日(2015.5.25)
【手続補正１】
【補正対象書類名】明細書
【補正対象項目名】００１２
【補正方法】変更
【補正の内容】
【００１２】
上記目的を達成するための第一の発明は、ユーザが所属するグループの変更を指示するためのクライアント端末とネットワークを介して接続された情報処理装置とからなる設備備品予約システムであって、ユーザが利用する設備及び備品を含む予約対象に対して予約を行うことが可能なユーザが所属するグループを記憶するための権限記憶手段と、前記グループに所属するユーザを記憶するグループ記憶手段と、前記ユーザが所属するグループにおいて予約を行うことが可能な予約対象に対して、予約したスケジュールを前記ユーザに対応させて記憶するスケジュール記憶手段と、前記グループ記憶手段に記憶されたグループに所属するユーザの変更に応じて、当該所属するグループを変更するユーザのスケジュールが前記スケジュール記憶手段に記憶されていた場合、前記所属するグループを変更するユーザのスケジュールを変更する変更手段と、を備えたことを特徴とする設備備品予約システムである。
【手続補正２】
【補正対象書類名】明細書
【補正対象項目名】００１３
【補正方法】変更
【補正の内容】
【００１３】
上記目的を達成するための第二の発明は、ユーザが所属するグループの変更を指示するためのクライアント端末とネットワークを介して接続された情報処理装置とからなる設備備品予約システムの制御方法であって、前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更ステップを、を実行することを特徴とする設備備品予約システムの制御方法である。
【手続補正３】
【補正対象書類名】明細書
【補正対象項目名】００１４
【補正方法】変更
【補正の内容】
【００１４】
上記目的を達成するための第三の発明は、ユーザが所属するグループの変更を指示するためのクライアント端末とネットワークを介して接続された情報処理装置とからなる設備備品予約システムにおいて読取実行可能なプログラムであって、前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更手段、として機能させることを特徴とするプログラムである。
【手続補正４】
【補正対象書類名】特許請求の範囲
【補正対象項目名】全文
【補正方法】変更
【補正の内容】
【特許請求の範囲】
【請求項１】
ユーザが所属するグループの変更を指示するためのクライアント端末とネットワークを介して接続された情報処理装置とからなる設備備品予約システムであって、
ユーザが利用する設備及び備品を含む予約対象に対して予約を行うことが可能なユーザが所属するグループを記憶するための権限記憶手段と、
前記グループに所属するユーザを記憶するグループ記憶手段と、
前記ユーザが所属するグループにおいて予約を行うことが可能な予約対象に対して、予約したスケジュールを前記ユーザに対応させて記憶するスケジュール記憶手段と、
前記グループ記憶手段に記憶されたグループに所属するユーザの変更に応じて、当該所属するグループを変更するユーザのスケジュールが前記スケジュール記憶手段に記憶されていた場合、前記所属するグループを変更するユーザのスケジュールを変更する変更手段と、
を備えたことを特徴とする設備備品予約システム。
【請求項２】
前記変更手段は、前記グループ記憶手段に記憶されたグループに所属するユーザの変更に応じて、当該所属するグループを変更するユーザのスケジュールが前記スケジュール記憶手段に記憶されていた場合、前記所属するグループを変更するユーザのスケジュールを削除することを特徴とする請求項１に記載の設備備品予約システム。
【請求項３】
前記変更手段によって前記所属するグループを変更するユーザのスケジュールを変更する前に、当該ユーザのスケジュールの変更に係る通知を行う通知手段を備え、
前記通知手段は、前記所属するグループを変更するユーザのスケジュールの変更に係る通知として、前記所属するグループを変更するユーザのスケジュールを、前記所属するグループを変更するユーザが所属するグループの他のユーザへ割り当てることに係る通知を行うことを特徴とする請求項１または２に記載の設備備品予約システム。
【請求項４】
前記通知手段によって前記他のユーザへ割り当てることに係る通知をした後、前記スケジュールを前記他のユーザへ割り当てをすべきか否かを選択する割当選択手段と、
前記割当選択手段によって割り当て選択されたスケジュールを前記他のユーザに対応して前記スケジュール記憶手段へ記憶する割当記憶手段と、
を備えたことを特徴とする請求項３に記載の設備備品予約システム。
【請求項５】
前記割当選択手段は、前記スケジュールの割り当て対象となる前記所属するグループを変更するユーザが所属するグループの他のユーザを選択し、
前記選択割当記憶手段は、前記割当選択手段によって選択した他のユーザに対応して前記スケジュールを前記スケジュール記憶手段に記憶することを特徴とする請求項４に記載の設備備品予約システム。
【請求項６】
前記割当選択手段は、前記他のユーザがそれぞれ割り当て可能か否かを設定し、
前記選択割当記憶手段は、前記割当選択手段によって割り当て可能と設定された他のユーザに対応して前記スケジュールを前記スケジュール記憶手段に記憶することを特徴とする請求項４または５に記載の設備備品予約システム。
【請求項７】
前記割当選択手段は、前記他のユーザがそれぞれ割り当て可能か否かを設定し、
前記選択割当記憶手段は、全ての前記他のユーザが割り当て可能か否かを設定した後、前記割当選択手段によって割り当て可能と設定された他のユーザに対応して前記スケジュールを前記スケジュール記憶手段に記憶することを特徴とする請求項６に記載の設備備品予約システム。
【請求項８】
ユーザが所属するグループの変更を指示するためのクライアント端末とネットワークを介して接続された情報処理装置であって、
ユーザが利用する設備及び備品を含む予約対象に対して予約を行うことが可能なユーザが所属するグループを記憶するための権限記憶手段と、
前記グループに所属するユーザを記憶するグループ記憶手段と、
前記ユーザが所属するグループにおいて予約を行うことが可能な予約対象に対して、予約したスケジュールを前記ユーザに対応させて記憶するスケジュール記憶手段と、
前記グループ記憶手段に記憶されたグループに所属するユーザの変更に応じて、当該所属するグループを変更するユーザのスケジュールが前記スケジュール記憶手段に記憶されていた場合、前記所属するグループを変更するユーザのスケジュールを変更する変更手段と、
を備えたことを特徴とする情報処理装置。
【請求項９】
ユーザが所属するグループの変更を指示するためのクライアント端末とネットワークを介して接続された情報処理装置とからなる設備備品予約システムの制御方法であって、
前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更ステップを、
を実行することを特徴とする設備備品予約システムの制御方法。
【請求項１０】
ユーザが所属するグループの変更を指示するためのクライアント端末とネットワークを介して接続された情報処理装置とからなる設備備品予約システムにおいて読取実行可能なプログラムであって、
前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更手段、
として機能させることを特徴とするプログラム。
【請求項１１】
ユーザが所属するグループの変更を指示するためのクライアント端末とネットワークを介して接続された情報処理装置の制御方法であって、
前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更ステップを、
を実行することを特徴とする情報処理装置の制御方法。
【請求項１２】
ユーザが所属するグループの変更を指示するためのクライアント端末とネットワークを介して接続された情報処理装置において読取実行可能なプログラムであって、
前記グループに所属するユーザを記憶するグループ記憶手段に記憶されたグループに所属するユーザの変更に応じて、当該所属するグループを変更するユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記所属するグループを変更するユーザのスケジュールが記憶されていた場合、前記所属するグループを変更するユーザのスケジュールを変更する変更手段、
として機能させることを特徴とするプログラム。